(57)【要約】【課題】所定の情報を良好に表示可能とする梱包材、及びその梱包材を用いて安価かつ簡便に板状被梱包材の梱包が可能な梱包方法を提供することを課題とする。【解決手段】積み重ねた６枚の長方形の床材Ｘ…Ｘの長手方向両端部に段ボール紙製の平面視コ字状の保護部材１，１をあてがう。床板Ｘ…Ｘの四方端部に帯状の梱包材２を巻き付けて被覆したのち、加熱によって梱包材２を熱収縮させた上で、床材Ｘ…Ｘの長手方向両端部寄りの２箇所にて、梱包材２と床材Ｘ…Ｘとをバンド部材３，３で一体に結束する。この梱包材２は、熱収縮性の透明ポリエチレンでなるシュリンクフィルム２ａの幅方向の略中央部に非熱収縮性部材としての紙テープ２ｂを貼着したもので、符号Ａで示すように、紙テープ２ｂに床板Ｘ…Ｘの品番、社名、或いはロゴマーク等の所定の情報を表示することができる。【選択図】    図１
2004210394.tif 000002
【特許請求の範囲】
【請求項１】
板状被梱包材の周囲に巻き付けて熱収縮させることにより被梱包材の周囲を被覆する帯状の熱収縮性フィルムでなる梱包材であって、幅方向の中央部に非熱収縮部が設けられていることを特徴とする梱包材。
【請求項２】
幅方向の両側部が熱収縮性フィルムで形成され、幅方向の中央部が非熱収縮性部材で形成されていることを特徴とする請求項１に記載の梱包材。
【請求項３】
熱収縮性フィルムの幅方向中央部に帯状の非熱収縮性部材が貼着されていることを特徴とする請求項１に記載の梱包材。
【請求項４】
非熱収縮性部材は発泡樹脂でなることを特徴とする請求項２または請求項３に記載の梱包材。
【請求項５】
非熱収縮性部材は紙でなることを特徴とする請求項２または請求項３に記載の梱包材。
【請求項６】
複数枚の板状被梱包材を熱収縮性フィルムでなる梱包材で梱包する梱包方法であって、上記被梱包材の長手方向両端部に保護部材をあてがうと共に、請求項１から請求項５のいずれかに記載の梱包材を該被梱包材の周囲に巻き付け、梱包材を熱収縮させたのち、バンド部材で梱包材と被梱包材とを一体に結束して梱包することを特徴とする梱包方法。
【発明の詳細な説明】
【０００１】
【発明の属する技術分野】
本発明は、板状被梱包材を梱包するための梱包材及びそれを用いて複数枚の板状被梱包材を梱包する梱包方法に関し、物品梱包の技術分野に属する。
【０００２】
【従来の技術】
床板、壁板、及びドア等の板状物品を保管或いは運送目的等のため梱包する方法として、従来より、このような複数枚の板状被梱包材を蓋付きの段ボール箱に収納する方法が一般的であり、これにより被梱包材は外傷や塵埃等から良好に保護されるようになっている。
【０００３】
また、より簡便な方法として、複数枚の板状被梱包材を蓋なしの段ボール箱に収納し、被梱包材と段ボール箱とを一体に例えばポリ塩化ビニル製のフィルム等で梱包する方法も広く採用されている。
【０００４】
しかしながら、いずれの方法にしても、収納する被梱包材が総じて大サイズのものであることから、用済みの段ボール箱が嵩張り、その運搬や廃棄等の後処理が面倒であるという問題がある。
【０００５】
この問題を解消すると共に、被梱包材の保護と梱包作業の簡便さとを両立させる梱包方法が提案されている（例えば、特許文献１参照）。
【０００６】
この方法は、二枚の無機質の板材を段ボール紙製の基板上に積み重ねると共に、板材の外周を同じく段ボール紙製のアングル部材等によって囲み、バンド部材でこれらを一体に結束したのち、全体をシュリンクフィルムで被覆して梱包するものである。
【０００７】
また、上記のような段ボール紙製の部材を使用しない梱包方法が提案されている（例えば、特許文献２参照）。
【０００８】
この方法は、複数枚の建築用ボード等の板材の四方端部にポリウレタン等の発泡樹脂でなる保護部材（端面保護環）をあてがいつつ、全体をシュリンクフィルムで被覆して梱包するものである。
【０００９】
なお、シュリンクフィルムに関しては、接着剤を用いてシュリンクフィルム（筒状のシュリンクフィルム）を台紙に貼着する方法も提案されている（例えば、特許文献３参照）。
【００１０】
【特許文献１】
特開２０００−２６４３６２号公報（第３頁、図２）
【特許文献２】
特開平９−３０９５０８号公報（第３頁、図１）
【特許文献３】
特開平８−２４４８３２号公報（図４）
【００１１】
【発明が解決しようとする課題】
ところで、上記特許文献１や特許文献２に記載の梱包方法では、被梱包材の全体をシュリンクフィルムで被覆するため、シュリンクフィルムの使用量が多くなると共に梱包作業も面倒なものとなり、コスト高の問題が生じることがある。そして、用済みのシュリンクフィルムの後処理も面倒である。
【００１２】
また、シュリンクフィルムに被梱包材の品番、社名、或いはロゴマーク等の情報を表示することがあるが、前述した従来の方法では、シュリンクフィルムが適宜手段によって加熱されたとき表示部分も熱収縮する。被覆されたシュリンクフィルムにおいて、特に板状被梱包材の表面側に対応するフィルム部分は大面積であって、幅方向に大きくしかも不規則に収縮しがちであるため、折角の表示機能が損なわれることがある。
【００１３】
そこで、本発明は、以上の現状に鑑み、所定の情報を良好に表示可能とする梱包材、及びその梱包材を用いて安価かつ簡便に板状被梱包材の梱包が可能な梱包方法を提供することを課題とする。
【００１４】
【課題を解決するための手段】
上記課題を解決するため、本発明は次のように構成したことを特徴とする。
【００１５】
まず、請求項１に記載の発明は、板状被梱包材の周囲に巻き付けて熱収縮させることにより被梱包材の周囲を被覆する帯状の熱収縮性フィルムでなる梱包材に関するもので、幅方向の中央部に非熱収縮部が設けられていることを特徴とする。
【００１６】
この発明によれば、梱包材の熱収縮時に非熱収縮部は収縮しないから、例えばこの非熱収縮部を所定の情報を表示する表示部として使用すると、梱包材を熱収縮させたのちにおいても当初の表示が良好に維持される。なお、非熱収縮部は、梱包材の熱収縮時に収縮しないのが最良であるが、熱収縮性フィルムに比較して熱収縮度合いが小さければよい。
【００１７】
次に、請求項２に記載の発明は、上記請求項１に記載の梱包材において、幅方向の両側部が熱収縮性フィルムで形成され、幅方向の中央部が非熱収縮性部材で形成されていることを特徴とする。
【００１８】
また、請求項３に記載の発明は、上記請求項１に記載の梱包材において、熱収縮性フィルムの幅方向中央部に帯状の非熱収縮性部材が貼着されていることを特徴とする。
【００１９】
これらのいずれの発明によっても、上記請求項１に記載の梱包材の構成がさらに具体化される。特に請求項２に記載の発明によれば、非熱収縮性部材の分だけ熱収縮性フィルムの使用量が低減される。また、請求項３に記載の発明によれば、非熱収縮性部材の分だけ梱包材は補強される。
【００２０】
そして、請求項４に記載の発明は、上記請求項２または請求項３に記載の梱包材において、非熱収縮性部材は発泡樹脂でなることを特徴とする。
【００２１】
また、請求項５に記載の発明は、前記請求項２または請求項３に記載の梱包材において、非熱収縮性部材は紙でなることを特徴とする。
【００２２】
これらのいずれの発明によっても、上記請求項２または請求項３に記載の梱包材が、非熱収縮性部材の材質面でさらに具体化される。特に請求項４に記載の発明によれば、発泡樹脂でなる非熱収縮性部材は梱包材を効果的に補強するから被梱包材の保護に一層有効となるだけでなく、一般に防水性に優れるから雨水等に対する耐久性が向上する。
【００２３】
また、請求項５に記載の発明によれば、前述した特許文献３の記載にあるように紙と熱収縮性フィルムとの貼着は比較的容易であるから、比較的安価な梱包材が実現される。
【００２４】
そして、請求項６に記載の発明は、複数枚の板状被梱包材を熱収縮性フィルムでなる梱包材で梱包する梱包方法に関するもので、上記被梱包材の長手方向両端部に保護部材をあてがうと共に、請求項１から請求項５のいずれかに記載の梱包材を該被梱包材の周囲に巻き付け、梱包材を熱収縮させたのち、バンド部材で梱包材と被梱包材とを一体に結束して梱包することを特徴とする。
【００２５】
この発明によれば、まず、保護部材により被梱包材の長手方向両端部が良好に保護される。また、被梱包材が床板や壁板等の場合、幅方向両端部に係合用途の凸部や凹部が設けられることがあるが、これらが梱包材によって良好に保護され、当該部位の欠損等の不具合が回避される。そして、梱包材で被梱包材の全体を被覆するものではないから、安価かつ簡便に被梱包材の梱包が可能となる。
【００２６】
その上で、梱包材に設けられた非熱収縮部を所定の情報を表示する表示部として使用すると、梱包材の熱収縮時に非熱収縮部は収縮しないから、当初の表示が良好に維持される。
【００２７】
【発明の実施の形態】
以下、本発明の実施の形態に係る梱包材及びそれを用いた梱包方法について説明する。
【００２８】
図１は、本発明に係る梱包材及びそれを用いた梱包方法によって複数枚の板状被梱包材を梱包した状態を示すものである。すなわち、図例によると、被梱包材として６枚の長方形の床板Ｘ…Ｘが積み重ねられ、これらの床板Ｘ…Ｘの長手方向両端部に段ボール紙製の平面視コ字状の保護部材１，１がそれぞれあてがわれている。そして、後述する構成の帯状の梱包材２によって積み重ねられた床板Ｘ…Ｘの四方端部が被覆されたのち、この梱包材２は熱収縮され、次いで、床板Ｘ…Ｘの長手方向両端部寄りの２箇所にて、梱包材２と床板Ｘ…Ｘとがバンド部材３，３で一体に結束されている。
【００２９】
図２及び図３に示すように、本発明の特徴部分である帯状の梱包材２は熱収縮性の透明ポリエチレンでなるシュリンクフィルム２ａを有し、かつ、その幅方向の略中央部に、非熱収縮性部材として所定幅寸法の帯状の紙テープ２ｂが接着剤を介して貼着されている。そして、この紙テープ２ｂの適宜箇所には、符号Ａで示すように、梱包対象の床板Ｘ…Ｘの品番、社名、或いはロゴマーク等の所定の情報が表示された表示部が設けられている。また、梱包材２の幅寸法は、図中二点鎖線で示す６枚の床板Ｘ…Ｘの合計厚みより幾分大きめに形成されている。なお、紙テープ２ｂにはクラフト紙等の一般的な紙が適用可能である。
【００３０】
こうすることにより、この梱包材２は、シュリンクフィルム２ａ単体の場合に比較して貼着された紙テープ２ｂの分だけ補強され、その結果、保護性が向上する。また、シュリンクフィルム２ａへの紙テープ２ｂの貼着は比較的容易であるから、非熱収縮部を有する梱包材２が比較的安価に実現される。
【００３１】
次に、同じく本発明の特徴部分である上記梱包材２を用いた床板Ｘ…Ｘの梱包方法について説明する。
【００３２】
まず、図示しない適宜手段によって支持しつつ６枚の床板Ｘ…Ｘを積み重ね、これらの床板Ｘ…Ｘの長手方向両端部にコ字状の保護部材１，１をそれぞれあてがう。これにより、上記両端部は良好に保護される。
【００３３】
そして、帯状の梱包材２を床板Ｘ…Ｘの四方端部に巻き付けることによって被覆したのち、ドライヤによる熱風で加熱することにより梱包材２を熱収縮させる。これにより、梱包材２は保護部材１，１や床板Ｘ…Ｘの外形に密着するようになる。なお、帯状の梱包材２を床板Ｘ…Ｘの周囲に巻き付けるに際し、この梱包材２の長手方向両端部は、適宜手段によってシュリンクフィルム２ａの部位を介して熱シールされる。
【００３４】
梱包材２が熱収縮すると、床板Ｘ…Ｘの長手方向両端部寄りの２箇所にて、梱包材２と床板Ｘ…Ｘとをバンド部材３，３で一体に結束し、梱包作業は終了する。
【００３５】
その場合、前述したようにこの梱包材２の幅寸法は、６枚の床板Ｘ…Ｘの合計厚みより幾分大きめに形成されている。こうすることにより、梱包材２が熱収縮すると、図１に符号Ｂで示すように、梱包材２の幅方向両端部分のシュリンクフィルム２ａが図例上表裏（裏側は図示せず）の床板Ｘ，Ｘの表面周縁部をも被覆することとなり、梱包材２による床板Ｘ…Ｘの梱包が一層堅固となる。したがって、この梱包方法はいたずらに多量の梱包材２を使用するものではないから、安価かつ簡便に床板Ｘ…Ｘの梱包が可能となる。
【００３６】
また、これらの床板Ｘ…Ｘでは幅方向両端部に係合用途の凸部や凹部が設けられることがあるが、その場合にはこれらの部位が梱包材２によって良好に保護され、欠損等の不具合が回避される。
【００３７】
そして、前述したようにこの梱包材２は、シュリンクフィルム２ａに紙テープ２ｂを貼着した構成であるから、紙テープ２ｂの分だけ補強され、もって保護性がさらに向上する。
【００３８】
しかも、図１に示すように、この梱包材２の紙テープ２ｂの適宜箇所に、符号Ａで示す梱包対象の床板Ｘ…Ｘの品番、社名、或いはロゴマーク等の所定の情報が表示された表示部が設けられているから、梱包材２を熱収縮させたのちにおいても当初の表示が良好に維持される。
【００３９】
また、本発明に係る梱包材として、図４に示す構成のものを用いてもよい。この梱包材２′は、幅方向の両側部が熱収縮性の透明ポリエチレンでなるシュリンクフィルム２ａ′，２ａ′で形成され、幅方向の中央部が前述した図３に示すと同様の紙テープ２ｂで形成されており、シュリンクフィルム２ａ′，２ａ′と紙テープ２ｂとは接着剤により結合されている。
【００４０】
この梱包材２′は、図３に示す梱包材２に比較して使用するシュリンクフィルム２ａ′，２ａ′の量が低減される特徴があり、また、床板Ｘ…Ｘの幅方向両端面の保護に対する要求が特段厳しくない場合等に好適である。
【００４１】
なお、上記実施の形態ではシュリンクフィルム２ａ，２ａ′，２ａ′としてポリエチレンフィルムを使用したが、これに限定されるものではなく、ポリスチレンフィルム、ポリプロピレンフィルム、ポリエステルフィルム、ポリ塩化ビニルフィルム等、周知のものが使用可能である。
【００４２】
また、非熱収縮性部材として紙テープ２ｂを使用しており、紙として例えば通常のクラフト紙が例示される。梱包材２の補強や防水性の付与等によるさらなる保護性向上が要求される場合には、紙として、油や合成樹脂が含浸された強化紙或いは基紙に合成樹脂フィルムが積層された強化紙等を使用することができる。
【００４３】
また、紙テープ２ｂの代わりに、発泡樹脂テープを使用することができる。発泡樹脂は一般的に紙に比較して梱包材２の補強や防水性の付与等の点で優れる特徴を有しており、適用可能な発泡樹脂として、ポリエチレン系、ポリスチレン系、ポリエステル系、ポリカーボネート系、ポリ塩化ビニル系等、周知のものが例示される。
【００４４】
また、上記実施の形態では、接着剤によって紙テープ２ｂをシュリンクフィルム２ａ，２ａ′，２ａ′に結合したが、例えば、紙テープ２ｂをシュリンクフィルム２ａ，２ａ′，２ａ′に縫い付けてもよい。すなわち、これらの部材を安価かつ確実に結合可能であれば、結合手段は問わない。
【００４５】
そして、上記実施の形態では、床板Ｘ…Ｘの長手方向両端部に段ボール紙製のコ字状の保護部材１，１をあてがったが、加えて、床板Ｘ…Ｘの幅方向両端部に例えば段ボール紙製の板状或いはコ字状の保護部材をそれぞれあてがってもよい。この梱包方法によれば、床板Ｘ…Ｘの幅方向両端部をこれらの保護部材によって一層良好に保護することができ、該両端部に係合用途の凸部や凹部が設けられている場合に効果的となる。
【００４６】
【発明の効果】
以上説明したように、本発明によれば、所定の情報を良好に表示可能とする梱包材、及びその梱包材を用いて安価かつ簡便に板状被梱包材の梱包が可能な梱包方法が提供される。すなわち、本発明に係る梱包材及びそれを用いた梱包方法は、物品梱包の技術分野に広く好適である。
【図面の簡単な説明】
【図１】本実施の形態に係る梱包材及びそれを用いた梱包方法によって複数枚の床板を梱包した状態を示す斜視図である。
【図２】梱包材の構成例を示す図である。
【図３】図２のａ−ａ線による拡大断面図である。
【図４】別の梱包材の構成例を示す図３に相当する断面図である。
【符号の説明】
１      保護部材
２，２′        梱包材
２ａ，２ａ′    シュリンクフィルム（熱収縮性フィルム）
２ｂ    紙テープ（非熱収縮性部材）
３      バンド部材
Ｘ      床板（被梱包材）
【図１】
2004210394.tif 000003
【図２】
2004210394.tif 000004
【図３】
2004210394.tif 000005
【図４】
2004210394.tif 000006